(57)【要約】【課題】防鳥具の取付構造として、取付基体に対してチップ状の取付部品を接着方式によって容易に短時間で固着でき、接着剤の経時的劣化や経時的収縮を生じても取付部品の脱落を生じにくく、長期にわたって安定した防鳥機能を維持できるものを提供する。【解決手段】取付基体Ｍの表面に、防鳥具止着部１１，１２を備えた略板状の取付チップ１が接着剤２を介して固定され、取付チップ１の防鳥具止着部に防鳥具３，４が止着されてなる。取付チップ１が表裏に透通する複数の貫通穴１５，１６を有し、各貫通穴１５，１６の外側に盛り上がって貫通穴１５，１６よりも拡がる外側接着剤層２ｂが形成され、外側接着剤層２ｂが貫通穴１５，１６を通して取付基体Ｍの表面と取付チップ１の裏面との間に介在する内側接着剤層２ａに一体化してなる。【選択図】図３
2011050266.tif 000002
【特許請求の範囲】
【請求項１】
取付基体の表面に、防鳥具止着部を備えた略板状の取付チップが接着剤を介して固定されると共に、該取付チップの防鳥具止着部に防鳥具が止着されてなり、
前記取付チップが表裏に透通する複数の貫通穴を有し、各貫通穴の外側に盛り上がって当該貫通穴よりも拡がる外側接着剤層が形成され、この外側接着剤層が貫通穴を通して取付基体の表面と取付チップの裏面との間に介在する内側接着剤層に一体化してなる防鳥具の取付構造。
【請求項２】
各貫通穴における外側接着剤層の拡がり面積が当該貫通穴の開口面積よりも２０％以上広いことを特徴とする請求項１に記載の防鳥具の取付構造。
【請求項３】
各貫通穴における外側接着剤層の体積が当該貫通穴に充満した接着剤層の体積よりも大きいことを特徴とする請求項１又は２に記載の防鳥具の取付構造。
【請求項４】
前記取付チップの表面側に前記貫通穴の開口縁に臨む堰壁部が突設されてなる請求項１〜３の何れかに記載の防鳥具の取付構造。
【請求項５】
前記貫通穴がビス止め用のビス挿通穴を兼用する請求項１〜４の何れかに記載の防鳥具の取付構造。
【請求項６】
前記取付チップの防鳥具止着部として、鳥留まり防止ピンを起立状態に保持させるピン保持部と、防鳥ネットを掛止具を介して吊持させるネット吊持部との少なくとも一方を備える請求項１〜５の何れかに記載の防鳥具の取付構造。
【発明の詳細な説明】
【技術分野】
【０００１】
本発明は、ハトやカラスを始めとする鳥類による糞害や営巣を防止するための防鳥具の取付構造に関する。
【背景技術】
【０００２】
近年、市街地での鳥類による被害が多発しており、特に高架橋下、看板や広告塔、電柱、建物のベランダや屋上、ビルの窓枠部、屋根付き駐車場、工場や倉庫、神社や仏閣等では、飛来したハトやカラス等が巣作りしたり、糞を撒き散らして周辺を汚すことが大きな社会問題になっている。
【０００３】
そこで、防鳥対策として、従来より、鳥が留まり易い部位や営巣し易い部位にピンを剣山状に設置する方法（特許文献１〜３）、建物やベランダ等の開口部に侵入防止用のネットやワイヤーを張り巡らす方法（特許文献４〜６）、鳥が留まり易い部位に沿って電撃用の通電線を配線する方法（特許文献７）等が一般的に採用されている。また、本出願人においても、先に複数種の防鳥具の取り付けに共用できる極めて実用性の高い防鳥具取付装置を提案している（特許文献８）。
【０００４】
これらの防鳥手段の中でも、とりわけ防鳥具の取付部をチップ状の小部品より構成し、その取付部品を防鳥対象とする取付基体にねじ止めや接着によって固着する方式（特許文献３，４，７，８）は、取付基体側のサイズや形状に対応して該取付部品の固着位置や配列、固着数を設定できるという利点がある。そして、取付部品の固着方式としては、特に接着方式が、取付基体側の材質による制約が少ないことと、容易に短時間で固着できて施工能率に優れる点から有利である。
【先行技術文献】
【特許文献】
【０００５】
【特許文献１】特開平１１−２８９６４４号公報
【特許文献２】特開２００１−３５２８９２号公報
【特許文献３】特開２００６−７５０３６号公報
【特許文献４】特開２００１−１６４６７３号公報
【特許文献５】特開２００２−１８６４０４号公報
【特許文献６】特開２００６−３７６５０号公報
【特許文献７】特開２００５−１６８３７１号公報
【特許文献８】特開２００８−６７６２０号公報
【発明の開示】
【発明が解決しようとする課題】
【０００６】
しかして、防鳥対策は対象となる施設が存続する間は講じる必要があるが、殆どの施工部位は日照及び風雨に晒される屋外にあるため、防鳥手段としての耐久性が極めて重要になる。しかるに、前記チップ状の取付部品を接着する方式では、接着剤の経時的劣化によって該取付部品に対する接着力の減少・喪失を生じること、また取付部品の凹凸に接着剤層が嵌合する構造であっても、該接着剤層の経時的収縮によって嵌合部が分離することから、短期間で取付部品が脱落して再施工を余儀なくされるという問題を生じていた。
【０００７】
本発明は、上述の事情に鑑みて、防鳥具の取付構造として、取付基体に対してチップ状の取付部品を接着方式によって容易に短時間で固着できる上、接着剤の経時的劣化や経時的収縮を生じても該取付部品の脱落を生じにくく、長期にわたって安定した防鳥機能を維持できるものを提供することを目的としている。
【課題を解決するための手段】
【０００８】
上記目的を達成するための本発明の手段を図面の参照符号を付して示せば、まず請求項１に係る防鳥具の取付構造は、取付基体Ｍの表面に、防鳥具止着部（差込ゲート１１、ピン挿通穴１２）を備えた略板状の取付チップ１が接着剤２を介して固定されると共に、該取付チップ１の防鳥具止着部に防鳥具（鳥留まり防止ピン３、防鳥ネット４）が止着されてなり、取付チップ１が表裏に透通する複数の貫通穴１５，１６を有し、各貫通穴１５，１６の外側に盛り上がって当該貫通穴１５，１６よりも拡がる外側接着剤層２ｂが形成され、この外側接着剤層２ｂが貫通穴１５，１６を通して取付基体Ｍの表面と取付チップ１の裏面との間に介在する内側接着剤層２ａに一体化してなる構成としている。
【０００９】
請求項２の発明は、上記請求項１の防鳥具の取付構造において、各貫通穴１５，１６における外側接着剤層２ｂの拡がり面積が当該貫通穴１５，１６の開口面積よりも２０％以上広いことを特徴としている。
【００１０】
請求項３の発明は、上記請求項１又は２の防鳥具の取付構造において、各貫通穴１５，１６における外側接着剤層２ｂの体積が当該貫通穴１５，１６に充満した接着剤層２ｃの体積よりも大きいことを特徴としている。
【００１１】
請求項４の発明は、上記請求項１〜３の何れかの防鳥具の取付構造において、取付チップ１の表面側に貫通穴１５，１６の開口縁に臨む堰壁部１３が突設されてなる構成としている。
【００１２】
請求項５の発明は、上記請求項１〜４の何れかの防鳥具の取付構造において、貫通穴１６がビス止め用のビス挿通穴を兼用する構成としている。
【００１３】
請求項６の発明は、上記請求項１〜４の何れかの防鳥具の取付構造において、取付チップ１の防鳥具止着部として、鳥留まり防止ピン３を起立状態に保持させるピン保持部（ピン挿通穴１２）と、防鳥ネット４を掛止具（掛止フック具５）を介して吊持させるネット吊持部１１との少なくとも一方を備えるものとしている。
【発明の効果】
【００１４】
次に、本発明の効果について、図面の参照符号を付して説明する。まず、請求項１の発明に係る防鳥具の取付構造では、取付基体Ｍに対して取付チップ１を接着剤２を介して固着し、この取付チップ１の防鳥具止着部（差込ゲート１１、ピン挿通穴１２）に防鳥具（鳥留まり防止ピン３、防鳥ネット４）を止着するが、取付チップ１の各貫通穴１５，１６の外側に盛り上がって当該貫通穴１５，１６よりも拡がる外側接着剤層２ｂが形成され、この外側接着剤層２ｂが貫通穴１５，１６を通して取付基体Ｍの表面と取付チップ１の裏面との間に介在する内側接着剤層２ａに一体化している。従って、この取付構造によれば、取付チップ１を接着方式によって容易に短時間で固着でき、防鳥施工を非常に能率よく行える上、経時的な接着剤２の劣化によって取付チップ１に対する接着力が減少・喪失し、また各貫通穴１５，１６内に充満した接着剤層２ｃが経時的収縮して貫通穴内周との間に隙間を生じても、外側接着剤層２ｂは貫通穴１５，１６を通過できず、これら外側接着剤層２ｂがアンカーとなって取付チップ１の脱落を防止するから、極めて長期間（通常は５年以上）にわたって安定した防鳥機能を発揮できる。
【００１５】
請求項２の発明によれば、上記取付構造において、取付チップ１の各貫通穴１５，１６における外側接着剤層２ｂは、その拡がり面積が当該貫通穴１５，１６の開口面積よりも２０％以上広いことから、周縁部に多少の欠けを生じても貫通穴１５，１６から抜出する懸念がなく、より確実なアンカー作用を発揮できる。
【００１６】
請求項３の発明によれば、上記取付構造において、取付チップ１の各貫通穴１５，１６における外側接着剤層２ｂは、当該貫通穴１５，１６に充満した接着剤層２ｃよりもボリュームが大きく、塊として高強度で割れや欠けを生じにくいため、より確実なアンカー作用を発揮できる。
【００１７】
請求項４の発明によれば、取付チップ１の表面側に貫通穴１５，１６の開口縁に臨む堰壁部１３を有することから、取付基体Ｍの表面に予め高粘性の液状の接着剤２を厚く塗着した状態で、その上に取付チップ１の下面側を押し付けることにより、接着剤２を各貫通穴１５，１６から外側へ溢出させた際、該堰壁部１３によって溢出する接着剤２の拡がり方向が制約され、もって溢出して形成される外側接着剤層２ｂが厚くなって良好なアンカー機能を発揮できると共に、堰壁部１３が硬化後の外側接着剤層２ｂに対する防護壁となり、外側接着剤層２ｂに他物品が衝突して割れや欠けを生じるの防止できる。
【００１８】
請求項５の発明によれば、取付チップ１の貫通穴１６がビス挿通穴を兼用するから、同じ取付チップ１をビス止め方式で取付基体Ｍに固着する場合にも利用できる。
【００１９】
請求項６の発明によれば、防鳥手段として、鳥が留まり易い部位や営巣し易い部位にピンを剣山状に設置して鳥を留まれなくする方法と、建物やベランダ等の開口部にネットを張って内側への鳥の侵入を防止する方法との少なくとも一方を採用できる。
【図面の簡単な説明】
【００２０】
【図１】本発明の一実施形態に係る防鳥具の取付構造に用いる取付チップの斜視図である。
【図２】同取付チップの縦断面を示し、（Ａ）は図１のＡ−Ａ線の断面矢視図、（Ｂ）は図１のＢ−Ｂ線の断面矢視図である。
【図３】同取付チップの取付基体に対する固着状態を示し、（Ａ）はチップ中央部での縦断正面図、（Ｂ）はチップ一端寄り位置での縦断正面図である。
【図４】同固着状態を示す要部の平面図である。
【図５】同固着状態を示し、（Ａ）は図４のＸ−Ｘ線の断面矢視図、（Ｂ）は図４のＹ−Ｙ線の断面矢視図である。
【図６】同取付チップに鳥留まり防止ピンを止着した状態の縦断側面図である。
【図７】同鳥留まり防止ピンを止着した取付チップによる剣山状の防鳥具の取付構造を示す縦断側面図である。
【図８】同取付チップに係止フック具を介して防鳥ネットを止着した状態を示す縦断側面図である。
【図９】同取付チップによる防鳥ネットの第一の取付構造を示す正面図である。
【発明を実施するための最良の形態】
【００２１】
以下、本発明に係る防鳥具の取付構造の実施形態について、図面を参照して具体的に説明する。なお、この実施形態の取付構造は、剣山状の防鳥具と防鳥ネットのいずれにも適用可能な構成になっている。
【００２２】
図１及び図２（Ａ）（Ｂ）は、防鳥具の取付チップ１を示す。この取付チップ１は、全体が硬質合成樹脂成形物からなり、平面視正方形の板状ベース部１０の上面中央に、ゲート状のネット吊持部１１が突設され、該板状ベース部１０がネット吊持部１１の前後両側で膨出部１０ａ，１０ａによって厚肉化すると共に、この前後の膨出部１０ａ，１０ａに、ピン保持部を構成する一対のピン挿通穴１２，１２が上下方向に貫設され、また該板状ベース部１０の上面左右両側に、堰壁部１３，１３が立ち上げ形成されている。
【００２３】
しかして、ピン保持部の各ピン挿通穴１２は、板状ベース部１０の上面側では前後方向に沿う長穴として開口すると共に、同下面側では丸穴として開口しており、図２（Ａ）に示すように、ネット吊持部１１側の内側面部が垂直で、反対側の内側面部が傾斜した形になっている。また、ネット吊持部１１の出口側となる後端側の上縁部１１ａが後方へ突出している。
【００２４】
一方、堰壁部１３は、前後方向に沿う垂直壁部１３ａの前後両側部に、上端から内向きに突出する係合片１３ｂ，１３ｂを一体形成したものである。更に、板状ベース部１０には、四隅部に各々前後方向に長い略矩形の貫通穴１５が設けられると共に、ネット吊持部１１と左右の堰壁部１３，１３との間に、円形で上方へ拡径したビス止め穴を兼用する貫通穴１６，１６が開設されている。また、板状ベース部１０の中央位置つまりネット吊持部１１の下方にも前後方向に長い略矩形の開口部１７が形成されている。
【００２５】
なお、取付チップ１の通常のサイズは、板状ベース部１０の一辺が２０〜５０ｍｍ程度、該板状ベース部１０の膨出部１０ａ以外の厚みが１〜３ｍｍ程度、ネット吊持部１１及び堰壁部１３の板状ベース部１０下面からの高さが５〜１０ｍｍ程度、にそれぞれ設定される。
【００２６】
上記構成の取付チップ１を防鳥部位の取付基体に固着するには、図３（Ａ）（Ｂ）に示すように、各種材質の取付基体Ｍ２に対し、例えばエポキシ系接着剤の如き主剤と硬化剤とからなる二液性ボンド等の液状の接着剤２によって接着する。そして、この接着の際に、取付基体Ｍの表面と取付チップ１の裏面との間に介在する内側接着剤層２ａに加えて、接着剤２が各貫通穴１５，１６の位置で外側に盛り上がって拡がった外側接着剤層２ｂを形成し、この外側接着剤層２ｂと内側接着剤層２ａとが貫通穴１５，１６を通して一体化した状態とする。
【００２７】
このような接着形態で接着剤２が硬化すれば、該接着剤２が経時的に劣化して取付チップ１に対する接着力を減少・喪失しても、また各貫通穴１５，１６に充満する接着剤２の経時的収縮によって接着剤層２ｃと貫通穴内周との間に隙間を生じても、外側接着剤層２ｂは貫通穴１５，１６を通過できないため、これら外側接着剤層２ｂがアンカーとして機能して取付チップ１の脱落を防止する。従って、この取付チップ１を利用して後述する防鳥具を取り付けることにより、極めて長期間、通常は１０年以上にわたって安定した防鳥機能を発揮できる。
【００２８】
なお、外側接着剤層２ｂを形成するには、取付基体Ｍの表面に予め高粘性の液状の接着剤２を厚く塗着した状態で、その上に取付チップ１の下面側を押し付けることにより、接着剤２を各貫通穴１５，１６から外側へ溢出させる方法が簡易である。しかるに、接着剤２の性状等により、上記の取付チップ１の押し付けのみでは溢出量が不足して充分なボリュームの外側接着剤層２ｂを形成できない場合は、取付チップ１の接着後に外側から各貫通穴１５，１６の部分に接着剤２を追加注出して盛り上げるようにすればよい。
【００２９】
外側接着剤層２ｂによるアンカー作用を確実に発揮させるには、図４に示すように、取付チップ１の各貫通穴１５，１６に対し、外側接着剤層２ｂの拡がりを大きくすると共に、図５（Ａ）（Ｂ）で示すように、外側接着剤層２ｂの体積を大きくすることが肝要である。すなわち、外側接着剤層２ｂの拡がりを大きくすれば、周縁部に多少の欠けを生じても貫通穴１５，１６から抜出する懸念がなく、また外側接着剤層２ｂの体積を大きくすれば、塊として高強度になって割れや欠けを生じにくくなる。このような観点より、外側接着剤層２ｂの拡がり面積は各貫通穴１５，１６の開口面積よりも２０％以上広くすること、また外側接着剤層２ｂの体積は当該貫通穴１５，１６に充満した接着剤層２ｃの体積よりよりも大きくすること、がそれぞれ推奨される。
【００３０】
なお、本実施形態の取付チップ１のように貫通穴１５，１６の開口縁に臨む堰壁部１３を有する構成では、既述のように取付基体Ｍの表面に塗着した接着剤２上に取付チップ１を押し付けて、接着剤２を各貫通穴１５，１６から外側へ溢出させた際、該堰壁部１３によって溢出する接着剤２の拡がり方向が制約され、もって溢出して形成される外側接着剤層２ｂが厚くなって良好なアンカー機能を発揮できると共に、堰壁部１３が硬化後の外側接着剤層２ｂに対する防護壁となり、外側接着剤層２ｂに他物品が衝突して割れや欠けを生じるの防止できるという利点がある。また、実施形態の取付チップ１では、上記押し付けによって中央の開口部１７にも接着剤２が入り込むため、アンカー作用がより増大することになる。
【００３１】
上記構成の取付チップ１を剣山状の防鳥具の取り付けに適用する場合、図６に示すように、該取付チップ１に予め鳥留まり防止ピン３を略Ｖ字形の起立状態に止着しておき、これを既述ように取付基体Ｍに接着すればよい。この鳥留まり防止ピン３は、略Ｖ字形に折曲した金属線材からなり、二股になった両ピン部３ａ，３b を材料弾性を利用して接近させた状態で、取付チップ１のピン挿通穴１２，１２に下面側から挿入し、根元まで差込むことによって元のＶ字形で起立した状態に保持される。
【００３２】
しかして、防鳥施工部が梁や手摺り笠木、堰壁頂部等の細長い領域であれば、図７に示すように、複数個の取付チップ１…が一体化した連結体Ｒを用い、その各取付チップ１に鳥留まり防止ピン３を止着させておき、既述した接着方式によって全体を取付基体Ｍの上面に固着するようにすれば、長尺区間の防鳥施工を一挙に容易に行える。また、鳥が巣作りしそうな広めの部位に対しては、各取付チップ１に鳥留まり防止ピン３…を装着した連結体Ｒの複数本を、適当間隔で並列させて営巣空間をなくすようにすればよい。なお、このような剣山状の防鳥施工を適用する部位は、水平部に限らず、屋根の支え杆等、鳥が留まり得る傾斜部や曲面部も対象となる。
【００３３】
なお、このような取付チップ１の連結体Ｒとしては、射出成型等により、その複数個（一般的には１０個前後）が平面的にジグザグ状に連結一体化した構造で、且つ隣接する取付チップ１，１の境界部１８を薄肉にしたものが好適である。すなわち、このような連結体Ｒでは、手操作によって簡単に取付チップ１単位に切り離しできるから、必要な防鳥施工部の長さに応じて該連結体Ｒの端位置を適当に設定できると共に、取付基体Ｍの狭い部位や構造的に複雑な部位に対しても、単独の取付チップ１あるいは数個程度が連結した状態の取付チップ１に鳥留まり防止ピン２を装着して用いることができる。また、ジグザグ状の連結体の場合、留まり防止ピン３として両ピン部３ａ，３ｂの傾きが異なるものを用い、その起立角度の大きいピン部３ａを取付チップ１…のジグザグ配置の内側に位置させれば、図７の如く隣接する二つの取付チップ１，１による計４本のピン部３ａ，３ａ，３ｂ，３ｂが略均等な角度で放射状に突出した形になるから、取付基体Ｍの上面側に鳥が留まる余裕をなくすのに効果的である。
【００３４】
一方、取付チップ１を防鳥ネットの取り付けに適用する場合、例えば図８及び図９に示すように、鳥の侵入を阻止すべき開口部周囲の取付基体Ｍの要所に、予め該取付チップ１を既述の接着方式で固着しておき、当該取付チップ１に適当な掛止具を介して防鳥ネット４を止着すればよい。このような掛止具としては、特に制約されないが、金属製や合成樹脂製の掛止フック具や、合成樹脂製の結束バンド（市販品：ヘラマンタイトン社製の登録商標インシュロック）等が挙げられる。
【００３５】
図８及び図９で図示した掛止フック具５は、金属帯板を略Ｕ字状に曲げ加工したものであり、その一側片５ａの先端に外向きの掛止爪５１を有すると共に、他側片５ｂの先端側が内向きに曲がった挿入ガイド部５２を構成している。その使用に際しては、Ｕ字形の曲がり部５０に防鳥ネット４の線部４ａを通し、図８の仮想線の如く両側片５ａ，５ｂを強制的に近接させた状態で、側片５ｂ側を下にして両先端側からネット吊持部１１へ差し込み、両先端が該ネット吊持部１１を越えて外側へ出た状態で少し引き戻せばよい。これにより、掛止フック具５は、図８の実線の如く両側片４ａ，４ｂが弾性復元力によって開くと共に、その掛止爪５１がネット吊持部１１の出口側の上縁部１１ａに掛合し、もって取付チップ１に抜出不能に掛止される。
【００３６】
なお、実施形態の取付チップ１では、両側の堰壁部１３，１３が頂部に内向きに突出する係合片１３ｂ，１３ｂを備えることを利用し、これら堰壁部１３，１３をスライドガイドとして側方から碍子部材をスライド嵌合させ、この碍子部材を介して電撃配線を行うことにより、電気ショックで鳥が留まるのを防止する防鳥手段として利用することも可能である。
【００３７】
また、本発明の防鳥具の取付構造は、例示した剣山状の防鳥具、防鳥ネット、電撃配線以外の種々の防鳥具の取り付けにも適用でき、その防鳥具の種類に応じて取付チップ１の防鳥具止着部の構造を設定すればよいが、特に剣山状の防鳥具と防鳥ネットの少なくとも一方の防鳥具に対する適用性に優れている。しかして、本発明においては、取付チップ１における貫通穴の数、穴形状、形成位置、防鳥具止着部の形態等、細部構成については実施形態以外に種々設計変更可能である。
【符号の説明】
【００３８】
１          取付チップ
１１        ネット吊持部（防鳥具止着部）
１２        ピン挿通穴（防鳥具止着部）
１３        堰壁部
１５        貫通穴
１６        ねじ止め穴（貫通穴）
２          接着剤
２ａ        下側接着剤層
２ｂ        内側接着剤層
３          鳥留まり防止ピン（防鳥具）
４          防鳥ネット（防鳥具）
５          掛止フック具（掛止具）
Ｍ          取付基体
【図１】
2011050266.tif 000003
【図２】
2011050266.tif 000004
【図３】
2011050266.tif 000005
【図４】
2011050266.tif 000006
【図５】
2011050266.tif 000007
【図６】
2011050266.tif 000008
【図７】
2011050266.tif 000009
【図８】
2011050266.tif 000010
【図９】
2011050266.tif 000011